(57)【要約】      （修正有）【課題】液体食品殘渣物のカッタナイフへの累積付着を防ぎ、カッタナイフに付着した液体食品が包装容器の横シール部の切断部分を汚してしまうことがない包装充填装置を提供する。【解決手段】ウェブ状包装材料を連続的に供給し、チューブ状包装材料１内に充填パイプから液体食品を、充填パイプ出口上方の所定位置の液面レベルまで充填し、液面下でチューブ横断方向にシールジョー１０ａ及びカウンタージョー１１でチューブを横シールし、ナイフ４２で切断して包装容器１３を製造する包装充填装置であって、横シール帯域切断の前の段階で、チューブ状包装材料１に離れて対面して一時的に停止する位置のナイフ４２の先端に向けて、コヒーレントな洗浄噴流Ｂを噴出するノズル２１を有し、ノズル２１が、チューブ状包装材料１を挟んで、被洗浄のナイフ４２と反対側であって、一時的に停止するナイフ４２先端を臨む位置に配設される。【選択図】図１
2011046390.tif 000002
【特許請求の範囲】
【請求項１】
ウェブ状包装材料を連続的に供給し、チューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域でナイフで切断して包装容器を製造する包装充填装置であって、
横シール帯域切断の前の段階で、該チューブ状包装材料に離れて対面して一時的に停止若しくは減速する位置の該ナイフの先端に向けて、コヒーレントな洗浄噴流を噴出するノズルを有し、
該ノズルが、該チューブ状包装材料を挟んで、被洗浄の該ナイフと反対側であって、一時的に停止若しくは減速する該ナイフ先端を臨む位置に配設される、
ことを特徴とする包装充填装置。
【請求項２】
一対の該ノズルが、該チューブ状包装材料を挟んで配設される、請求項１記載の包装充填装置。
【請求項３】
一対の該ノズルが、該ナイフの斜め上方より、該ナイフの先端に向けてコヒーレントな洗浄噴流を噴出する、請求項１記載の包装充填装置。
【発明の詳細な説明】
【技術分野】
【０００１】
この発明は、飲料などを充填して容器に包装する包装充填装置に関する。
【背景技術】
【０００２】
牛乳、ミネラルウォーター、茶、ジュース、スープ、アルコール類等の流動食品を収容する包装容器を製造する場合、ウェブ状（帯状）の包装積層材料が使用され、包装積層材料を連続的にヒートシール、超音波シール等によってシールされることにより、包装容器が形成される。例えば、包装充填装置において、包装積層材料をチューブ状に成形し、縦シール装置によって長手方向（縦方向）にシールした後、チューブの中に液体食品を充填しながら、液面下で横シール装置によって横方向にシールして切断し、枕状の原型容器を形成し、原型容器を更に所定の形状に成形して包装容器を完成させる。
【０００３】
図４は、包装充填装置の一例を示す概略斜視図である。ウェブ状の包装積層材料１は、リールの状態で包装充填装置に装填される。包装積層材料１は、紙基材、及び該紙基材の両面にポリエチレン樹脂が積層された可撓性の積層体から成り、必要に応じて紙基材とフィルムとの間にアルミニウム箔、ガスバリヤ性樹脂等から成るバリヤ層が形成され、包装容器１４の表面に相当する部分にあらかじめ外装用の印刷が施される。
【０００４】
繰り出された包装積層材料１は、搬送手段の送り装置によって連続的に搬送され、ベンディングローラ、ダンパローラ等を経て、ストリップ接合装置３に送られ、ストリップ接合装置によって包装積層材料１の一方の縁部に沿ってストリップ２が、次のストリップを継ぎ目で継ぎながら、連続的に接合される。
【０００５】
包装積層材料１は、必要に応じて、プルタブ接合装置によってプルタブが接合されている。包装積層材料１は、殺菌槽４に送られ、殺菌槽４において過酸化水素等の殺菌液によって殺菌される。包装積層材料１は、エアナイフ５に送られ、エアナイフ５によって乾燥させられた後、チューブ状包装材料内に液体食品を無菌雰囲気で充填することを保証する無菌室４０の室内に送られる。包装積層材料１は、成形リング６、その他の成形リングによって徐々に変形させられてチューブ状の形状にされる。
【０００６】
チューブ状包装積層材料１は、縦シール装置の予熱手段８からのホットエアーによって予熱されて、縦方向にシールされ、充填パイプ７の下端から流動性食品がチューブ状包装積層材料１内に充填される。
チューブ状包装材料内に充填パイプから液体食品を所定の液面レベルまで充填する。
【０００７】
図４に示すように、チューブ状包装積層材料１は、下方に案内され、横シール装置１０に送られ、挟まれて横方向にシールされると共に、容器形状に成形され、横シールされた包装積層材料は、ナイフなどで切断されて枕状の予備成形容器１３が形成される。
【０００８】
図３に横シール装置１０の詳細一部断面図を示す。この態様では、液体食品が充填されたチューブ状包装材料１が、先ず、上側一対のシールジョー１０ａ及び対向ジョー１１により挟持される。包装容器１個分に相当する長さ分だけ下方に送られながら、上側一対の成形フラップ４１，４１により挟まれておおよその容器形状に成形される。横断方向に横シールして２本の横シール帯域を形成し、繋がった枕状予備成形体のシール帯域の中間をナイフ４２により切断して個々の枕状予備成形体１３に切り離す。
図３に示すこの態様では、高速に、横シール、予備成形及び切断を行うために、二対のシールジョー及び対向ジョー、並びに、成形フラップを備え、横シール、予備成形及び切断ステップを終えた一対は、横に退避し上方に戻り、次の横シール、予備成形及び切断ステップを繰返す。
【０００９】
図４に示すように、予備成形容器１３は、最終成形搬送装置１５によって搬送されて最終の形状に成形され、流動性食品を収容する包装容器１４が完成する。
【先行技術文献】
【特許文献】
【００１０】
【特許文献１】特開平１０−１２９６０８号公報
【発明の概要】
【発明が解決しようとする課題】
【００１１】
上述の包装充填において、液面下で横シール部分を切断したときに、カッタナイフに液体食品が付着し、付着した液体食品が包装容器の横シール部の切断部分を汚してしまうことがある。
この課題に対して特許文献１の装置では、横シール部分を切断するカッタナイフの先端に洗浄媒体を供給する洗浄媒体供給手段を設け、カッタナイフによって横シール部分を切断したときに、洗浄媒体供給手段によって洗浄媒体を供給して、カッタナイフは直ちに洗浄する（参照：特許文献１）。
【００１２】
洗浄媒体供給手段を、カッタナイフ内部、隣接若しくは近傍の箇所に設けると、横シール装置も併設されているので、設置スペースに制限があり、構造的に複雑に、コスト的に高価になる。また、包装容器の横シール部の切断面への液体食品の付着は、高速での切断の繰返しにより、微量な液体食品殘渣が累積し嵩張って包装容器の切断面に付着することが多く、その液体食品殘渣物はカッタナイフに累積する。
従って、カッタナイフによる横シール部分の切断時ではなく、カッタナイフを、横シール部分を切断する前から汚れなく清潔にするように洗浄する必要がある。
本発明は、液体食品殘渣物のカッタナイフへの累積付着を防ぎ、カッタナイフに付着した液体食品が包装容器の横シール部の切断部分を汚してしまうことがない包装充填装置を提供することを目的とする。
【課題を解決するための手段】
【００１３】
この課題を解決するこの発明の包装充填装置は、ウェブ状包装材料を連続的に供給し、チューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域でナイフで切断して包装容器を製造する包装充填装置であって、
横シール帯域切断の前の段階で、チューブ状包装材料に離れて対面して一時的に停止若しくは減速する位置のナイフの先端に向けて、コヒーレントな洗浄噴流を噴出するノズルを有し、
ノズルが、チューブ状包装材料を挟んで、被洗浄のナイフと反対側であって、一時的に停止若しくは減速するナイフ先端を臨む位置に配設される、
ことを特徴とする。
【００１４】
この発明の好ましい態様において、一対のノズルが、チューブ状包装材料を挟んで配設される。
【００１５】
この発明の更に好ましい態様において、一対のノズルが、ナイフの斜め上方より、ナイフの先端に向けてコヒーレントな洗浄噴流を噴出する。
【発明の効果】
【００１６】
以上の本発明によれば、以下の作用機能を発揮し、有利な効果が得られる。
この発明における包装充填装置は、ウェブ状包装材料をチューブ状に成形し、包装材料の両端部で重ね合わされたチューブの縦線方向に縦シールし、垂直に下方に連続的に搬送されるチューブ状包装材料内に充填パイプから液体食品を、充填パイプ出口上方の所定位置の液面レベルまで充填し、液面下でチューブ横断方向にシールジョー及びカウンタージョーでチューブを挟んで引き下ろす間に横シールし、チューブを同時に成形用フラップで挟んで予備成形し、横シール帯域で切断して包装容器を製造する。
【００１７】
液体食品が充填されたウェブ状包装材料の液面下で横シールされるので、容器内に不要な空気等が残らず、品質保持に寄与する。
上述の包装充填において、充填されたチューブ内の液体食品の圧力は、液面からの液体の深さに相当して陽圧である。包装材料を成形フラップで成形する際に、陽圧であることによって良好に成形することができる。
【００１８】
この発明における包装充填装置は、液面下でチューブ横断方向にシールジョー及びカウンタージョーでチューブを挟んで引き下ろす間に横シールし、チューブを同時に成形用フラップで挟んで予備成形し、横シール帯域でナイフで切断する。
この発明の特徴に於いて、このノズルは、横シール帯域切断の前の段階で、チューブ状包装材料に離れて対面して一時的に停止若しくは減速する位置のナイフの先端に向けて、コヒーレントな洗浄噴流を噴出する。
切断の前の段階でナイフを洗浄してナイフに累積付着した液体食品殘渣物を洗い落すことができるので、包装容器の横シール部の切断部分を汚してしまうことがない。
また、コヒーレントな噴流であるので、的確に被洗浄対象に当たってナイフを洗浄することができる。
更に、この発明の好ましい態様において、ノズルが横長のナイフ先端を走査して、被洗浄対象全体を漏れなく洗浄することができる。
【００１９】
ノズル等の洗浄媒体供給手段を、カッタナイフ内部、隣接若しくは近傍の箇所に設けると、横シール装置も併設されているので、設置スペースに制限があり、構造的に複雑に、コスト的に高価になる。
この発明の特徴に於いて、このノズルは、チューブ状包装材料を挟んで、被洗浄のナイフと反対側に配設されるので、横シール装置やチューブ状包装材料の邪魔になることも無い。設置される箇所が他の部材と干渉することも無いので、構造上の制限が少なく、廉価なノズル等を配設することもできる。
また、このノズルは、一時的に停止若しくは減速するナイフ先端を臨む位置に配設されるので、高速で移動するナイフの場合と異なり、十分な時間をかけ的確にナイフを洗浄することができる。
【図面の簡単な説明】
【００２０】
【図１】この発明による包装充填装置のナイフの動作を概略的に説明する側方から見た断面図である。
【図２】この発明による包装充填装置のナイフの動作を概略的に説明する上方から見た断面図である。
【図３】包装充填装置の横シール装置を説明する断面正面図である。
【図４】この発明に使用できる包装充填装置の一例を示す概略斜視図である。
【発明を実施するための形態】
【００２１】
以下、本発明の実施の形態について図面を参照しながら詳細に説明する。
この実施形態による包装充填装置は、図４に示すように、ウェブ状包装材料１をチューブ状に成形し、包装材料の両端部でチューブの縦線方向に縦シールし、垂直に下方に搬送されるチューブ状包装材料内に充填パイプ７から液体食品を無菌室４０内で、充填パイプ出口上方の所定位置の液面レベルまで充填し、図３に示すように、液面下でチューブ横断方向にシールジョー１０及びカウンタージョー１１でチューブ１を挟んで引き下ろす間に横シールし、チューブを同時に成形用フラップ４１、４１で挟んで予備成形し、横シール帯域でナイフ４２で切断して予備包装容器１３を得、最終成形装置１５で製品の液体食品充填容器１４を製造する。
【００２２】
図１及び図２に図示する包装充填装置例のノズル２１は、横シール帯域２２を切断する前の段階で、チューブ状包装材料１に離れて対面して一時的に停止若しくは減速する位置Ａのナイフ４２の先端に向けて、コヒーレントな洗浄噴流Ｂを噴出する。
図１に図示する包装充填装置例のナイフ４２は、２本の横シール装置の間に配置され、ナイフ４２の前進後退によって、２本の横シール帯域２２の中間を切断する。
【００２３】
この実施例のノズル２１は、チューブ状包装材料１を挟んで、被洗浄のナイフ４２と反対側に配設される。更に、この実施例では、ノズル２１が、ナイフ４２の斜め上方より、ナイフ４２の先端に向けてコヒーレントな洗浄噴流Bを噴出する。
また、図２に示すように、一対のノズルが、チューブ状包装材料を挟んで配設される。
ノズル２１は、横シール装置１１、１０ａ、チューブ状包装材料１の動きの邪魔になることも無く、設置される箇所が他の部材と干渉することも無いので、構造上の制限が少なく、多種のノズルから最適のものを配設することができる。
また、ノズル２１は、一時的に停止する箇所Ａのナイフ先端４２を臨む位置に配設されるので、十分な時間で的確にナイフを洗浄する。
【００２４】
図１及び図２に図示する包装充填装置の実施例のノズル２１によって、切断の前の段階でナイフを洗浄してナイフに累積付着した液体食品殘渣物を洗い落すことができる。その結果、包装容器の横シール部の切断部分を汚してしまうことがない。
この実施例では、コヒーレントな噴流であるので、的確に被洗浄対象に洗浄液が当たる。
図２に示すように、ノズル２１が横長のナイフ４２先端を噴流Bで走査して、被洗浄対象全体を漏れなく洗浄する。
【００２５】
なお、本発明は前記実施の形態に限定されるものではなく、本発明の趣旨に基づいて種々変形させることが可能であり、それらを本発明の範囲から排除するものではない。
【産業上の利用可能性】
【００２６】
この発明は、液体食品などを包装充填する包装容器の製造に適用することができる。
【符号の説明】
【００２７】
１・・・  チューブ状包装材料
７・・・  充填パイプ
１０ａ・・・  シールジョー
１１・・・  カウンタージョー
１３・・・  予備成形容器
２２・・・  横シール帯域
４２・・・  ナイフ
B・・・  噴流
【図１】
2011046390.tif 000003
【図２】
2011046390.tif 000004
【図３】
2011046390.tif 000005
【図４】
2011046390.tif 000006